(57)【要約】【課題】連続した記録媒体に対して、消耗品の消費や記録時間を削減する試し出力が行える画像形成装置を提供することを課題とする。【解決手段】連続したロール紙（記録媒体）への出力において、ロール紙の連続している方向における画像データの記録領域を、ロール紙の幅方向に並ぶように移動させて試し記録を行う。【選択図】図５
2015027028.tif 000002
【特許請求の範囲】
【請求項１】
連続する記録媒体上に記録する記録用データを画像データから生成する生成手段を備え、
前記生成手段は、前記記録媒体が連続する方向において前記画像データよりも記録領域が短い記録用データを生成することを特徴とする画像処理装置。
【請求項２】
前記連続する記録媒体の幅情報を取得する取得手段をさらに備え、
前記生成手段は、前記取得手段により取得した幅情報が前記画像データの記録領域の幅よりも大きい場合、前記画像データを分割し、分割した画像データを前記記録媒体の幅方向に並べた記録用データを生成することを特徴とする請求項１に記載の画像処理装置。
【請求項３】
前記生成手段は、前記画像データを前記記録媒体が連続する方向に縮小した記録用データを生成することを特徴とする請求項１または請求項２に記載の画像処理装置。
【請求項４】
前記画像データにおける画像の種類を表す属性情報を取得する属性取得手段と、
前記属性取得手段が取得した前記属性情報に基づいて、前記画像データを解析する解析手段と、
を備え、
前記生成手段は、前記解析手段によって解析した結果に基づいて、前記記録媒体の幅方向に画像を配列した画像データを生成することを特徴とする請求項１ないし請求項３のいずれか１項に記載の画像処理装置。
【請求項５】
前記生成手段は、前記画像データを縮小し、前記解析手段によって解析した結果に基づいて、前記記録媒体の幅方向に画像を配列した画像データを生成することを特徴とする請求項１ないし請求項４のいずれか１項に記載の画像処理装置。
【請求項６】
連続する記録媒体上に記録する記録用データを画像データから生成する際に、前記記録媒体が連続する方向において前記画像データよりも記録領域が短い記録用データを生成することを特徴とする画像処理方法。
【請求項７】
請求項１〜５のいずれか１項に記載の画像処理装置の各手段としてコンピュータを機能させるプログラム。
【発明の詳細な説明】
【技術分野】
【０００１】
本発明は、記録媒体上に画像を形成する画像処理装置、画像処理方法、及びプログラムに関する。
【背景技術】
【０００２】
従来、特許文献１に開示されている画像形成装置では、入力された複数頁分の画像データ群を複数頁分の記録媒体上に画像形成する通常モードを備えている。さらに、通常モードで画像出力するのに先立ち、画像サイズを縮小した上で複数頁数よりも少ない頁数の記録媒体上に画像形成して出力結果を確認するための試し出力モードも備えている。試し出力モードでは、複数のページを縮小して１ページに記録することで、通常モードよりも少ない頁数で画像形成することが可能となる。
【先行技術文献】
【特許文献】
【０００３】
【特許文献１】特開平１１−１８７２５６号公報
【発明の概要】
【発明が解決しようとする課題】
【０００４】
従来技術では、カット紙の様な頁の概念がある記録媒体を用いる画像形成装置に対して、頁数を削減することで消耗品の浪費を抑えている。しかしながら、大判プリンタなどで使用するロール紙のように、連続した記録媒体については考慮されていなかった。
【０００５】
そこで本発明は、連続した記録媒体に対して、消耗品の消費や記録時間を削減する試し出力が行える画像処理装置、画像処理方法、及びプログラムを提供することを目的とする。
【課題を解決するための手段】
【０００６】
そのため本発明の画像処理装置は、連続する記録媒体上に記録する記録用データを画像データから生成する生成手段を備え、前記生成手段は、前記記録媒体が連続する方向において前記画像データよりも記録領域が短い記録用データを生成することを特徴とする。
【発明の効果】
【０００７】
本発明によれば、連続した記録媒体に対して、消耗品の消費や記録時間を削減する試し出力をすることができる。
【図面の簡単な説明】
【０００８】
【図１】実施形態１に係る画像形成システムのブロック図である。
【図２】データ入力部におけるデータ処理動作のフローチャートである。
【図３】属性データの領域分割方法を示す概略図である。
【図４】画像データレイアウト部のデータ処理動作のフローチャートである。
【図５】（ａ）、（ｂ）は図４の記録用データのレイアウト方法を示す概略図である。
【図６】（ａ）〜（ｄ）は図４で生成する記録用データの記録結果の概略図である。
【発明を実施するための形態】
【０００９】
以下、図面を参照して本発明の実施形態について説明する。  
図１は、本実施形態に係る画像形成システムの一例を示す概略ブロック図である。本実施形態の画像形成システムは、画像形成装置の一例である大判インクジェットプリンタ１１９を備え、大判インクジェットプリンタ１１９は、ホスト装置１０１と接続されている。
【００１０】
大判インクジェット記録装置１１９は、連続した記録媒体（例えば、ロール紙）を搬送しながら記録することが可能である。大判インクジェット記録装置１１９は、画像形成コントローラ１００と、操作パネル１２２と、ＲＡＭ１１５と、ＲＯＭ１１７と、画像形成コントローラ１００で生成した画像データをインクジェットで記録するプリンタエンジン１１８と、を備えている。また、大判インクジェット記録装置１１９は、図示しない表示部や電源回路部等を備えている。
【００１１】
画像形成コントローラ１００は、ＣＰＵ１０２、画像データレイアウト部１０３、プリンタエンジンインターフェース１０４、データ入力部１０５、ＲＡＭコントローラ１０７、およびＲＯＭコントローラ１０８を備えている。そして、入力された入力画像データから記録用画像データを生成する。これらの各ブロックはそれぞれバスライン１１０ａ〜１１０ｇを介してシステムバスブリッジ１０９に接続されている。本実施形態では、画像形成コントローラ１００は、システムＬＳＩとして一つのパッケージに封止されたＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）として実現されている。
【００１２】
ＣＰＵ１０２は、画像形成コントローラ１００全体の制御を司る。また、ＣＰＵ１０２は、ＲＡＭ１１５またはＲＯＭ１１７に格納された制御手順を順次読み出し、画像データレイアウト部１０３においてホスト装置１０１から受信した多値の画像データを後述の動作モードの設定に従いレイアウト（変換）する。レイアウトされたデータは、プリンタエンジン１１８で記録する記録用画像データとして、ＲＡＭコントローラ１０７を介してＲＡＭ１１５へ保存される。また、ＣＰＵ１０２は、ホスト装置１０１と通信するためのデータ入力部１０５の制御や通信プロトコルの解釈、画像データレイアウト部１０３で生成された画像データをプリンタエンジン１１８へ転送するためのプリンタエンジンインターフェース１０４の制御等も行う。
【００１３】
画像データレイアウト部１０３は、上述した通り、ホスト装置１０１から受信した多値の画像データを後述の動作モードの設定に従い、レイアウト（変換）する。プリンタエンジンインターフェース１０４は、画像形成コントローラ１００とプリンタエンジン１１８との間でデータの送受信を行う。プリンタエンジンインターフェース１０４は、ＤＭＡＣ（Ｄｉｒｅｃｔ  Ｍｅｍｏｒｙ  Ａｃｃｅｓｓ  Ｃｏｎｔｒｏｌｌｅｒ）を有し、ＲＡＭ１１５に格納されている記録用画像データを、ＲＡＭコントローラ１０７を介してプリンタエンジン１１８に転送する。データ入力部１０５は、パーソナルコンピュータやワークステーション等のホスト装置１０１との間でデータの送受信を行い、ホスト装置１０１から受信した画像データを、ＲＡＭコントローラ１０７を介してＲＡＭ１１５に格納する。また、データ入力部１０５は、受信したデータを解釈し、後述する各種動作モードの設定情報を取得する。さらにデータ入力部１０５は、ホスト装置１０１から受信した属性データを２次元の領域ごとに統計を取る機能を備え、その統計結果を、ＲＡＭコントローラ１０７を介してＲＡＭ１１５に格納する。なお、画像データレイアウト部１０３及びデータ入力部１０５は、プリンタエンジンインターフェース１０４と同様にＤＭＡＣを有し、メモリアクセス要求を発行する機能を備えている。データ入力部１０５とホスト装置１０１との通信方式は、特に限定されず、例えば、ＵＳＢ（Ｕｎｉｖｅｒｓａｌ  Ｓｅｒｉａｌ  Ｂｕｓ）やＩＥＥＥ１３９４などの高速シリアル通信、ＩＥＥＥ１２８４などのパラレル通信が挙げられる。また、１００ＢＡＳＥ−ＴＸ等のネットワーク通信であってもよい。また、これらの複数の通信方式を有していてもよい。さらには有線による通信方式に限らず、無線による通信方式であってもよい。
【００１４】
操作パネルコントローラ１２０は、大判インクジェット記録装置１１９を操作するためのコントローラで、操作パネルバス１２１を介して接続された操作パネル１２２と通信し、例えば、現在使用可能な記録媒体の幅（幅情報）をＣＰＵ１０２へ伝達する。  ＲＡＭコントローラ１０７は、画像形成コントローラ１００に接続されたＲＡＭ１１５を、ＲＡＭバス１１４を介して制御する。ＲＡＭコントローラ１０７は、ＣＰＵ１０２と、ＤＭＡＣを有する各ブロックと、ＲＡＭ１１５との間で、書き込み又は読み出しされるデータの中継を行う。また、ＲＡＭコントローラ１０７は、ＣＰＵ１０２やＤＭＡＣを有する各ブロックからの読み出し要求や書き込み要求に応じて必要な制御信号を生成してＲＡＭ１１５への書き込みやＲＡＭ１１５からの読み出しを実現する。
【００１５】
ＲＯＭコントローラ１０８は、画像形成コントローラ１００に接続されたＲＯＭ１１７を、ＲＯＭバス１１６を介して制御する。ＲＯＭコントローラ１０８は、ＣＰＵ１０２からの読み出し要求に応じて必要な制御信号を生成して、予めＲＯＭ１１７に格納された制御手順やデータを読み出し、システムバスブリッジ１０９を介してＣＰＵ１０２に読み出した内容を送り返す。また、ＲＯＭ１１７がフラッシュメモリ等の電気的に書き換え可能なデバイスで構成される場合、ＲＯＭコントローラ１０８は必要な制御信号を発生してＲＯＭ１１７の内容を書き換える。
【００１６】
システムバスブリッジ１０９は、画像形成コントローラ１００を構成する各ブロック間を接続する機能を備えるほか、複数のブロックから同時にアクセス要求が発行された場合に、バス権を調停する機能を備えている。複数ブロックから同時にアクセス要求が発行される場合とは、例えば、ＣＰＵ１０２とＤＭＡＣを有するブロックとが、ＲＡＭコントローラ１０７を介してＲＡＭ１１５へのアクセス要求をほぼ同時に発行する場合である。この場合、システムバスブリッジ１０９は予め指定されたプライオリティーに従って適切に調停を行う。
【００１７】
ＲＡＭ１１５は、同期ＤＲＡＭ等で構成され、ＣＰＵ１０２が実行する制御手順の格納、画像データレイアウト部１０３において生成された記録用データの一時的な記憶、ＣＰＵ１０２のワークメモリなどの機能を提供するメモリブロックである。また、ＲＡＭ１１５は、データ入力部１０５がホスト装置１０１から受信した入力画像データの一時的なバッファリングや、図示しない拡張バスを介して接続された機能拡張ユニットとの間で受け渡しされるデータの一時保存などの機能を提供する。
【００１８】
ＲＯＭ１１７は、電気的に書き換え可能な不揮発性のデバイスであり、フラッシュメモリ等で構成される。ＲＯＭ１１７は、ＣＰＵ１０２が実行する制御手順およびプリンタ制御に必要なパラメータを格納する。ＲＯＭ１１７に格納される制御手順やパラメータは、決められたシーケンスに従うことにより書き換えることが可能である。
【００１９】
上述した各回路ブロックは動作モード等を設定するレジスタを備え、ＣＰＵ１０２は図示しないレジスタアクセスバスを介して各回路ブロックの動作モード等を設定することが可能である。プリンタエンジン１１８は、画像形成コントローラ１００から送出される記録用データに基づき、不図示の記録ヘッドを用いて記録媒体に画像を記録する記録機構である。
【００２０】
画像データを印刷する際には、ユーザは、例えば、ホスト装置１０１において、各画像データに対して動作モードを設定することができる。例えば、試し出力モードか通常印刷モードかを選択することができる。また、試し出力モードとして、後述するように、例えば、短冊モード、縮小モード、その他のモード等を設定することができる。本実施形態では、各画像データに設定されたモードは、各画像データに出力モード情報として格納される。
【００２１】
図２は、データ入力部１０５におけるデータ処理動作のフローチャートである。以下、このフローチャートに沿ってデータ入力部１０５におけるデータ処理動作を説明する。データ処理動作が開始されると（Ｓ３０１）、ステップＳ３０２で、画像データに格納されているモード情報から試し出力するかを判別、言い換えれば、試し出力モードかを判別する。
【００２２】
ステップ３０２で試し出力モードでない場合は、ステップＳ３０４に移行して、試し出力フラグを無効に設定し、ステップＳ３０９へ進む。ステップＳ３０２で試し出力モードである場合は、ステップＳ３０３で、試し出力フラグを有効にする。その後、ステップＳ３０５で、試し出力する際に画像解析を行うかを判別、言い換えれば、画像解析モードか判別し、画像解析を行う場合はステップＳ３０６で、画像解析フラグを有効に設定し、ステップＳ３０９へ進む。また、ステップＳ３０５で画像解析を行わない場合は、ステップＳ３０７に移行して、画像解析フラグを無効に設定し、その後、ステップＳ３０８で、画像データから試し出力モード情報を取得し記憶し、ステップＳ３０９へ進む。ステップＳ３０９で、ホスト装置１０１から画像データの入力を行い、ＲＡＭ１１５へ転送し、ステップＳ３１０へ進む。この際、画像解析フラグが有効な場合は画像データの入力と同時に、後述する矩形領域の画像属性のカウントを行う。
【００２３】
ステップＳ３１０では、画像データの入力が完了したかを判断し、完了していない場合は、ステップＳ３０９に戻り、画像データの入力を継続する。ステップＳ３１０で画像データ入力が完了している場合は、ステップＳ３１１で、画像属性のカウント数を解析し、各属性の数が一番多い領域を抽出する。ここで、各属性とは、予め定めた属性であり、例えば、文字属性、細線属性、文字及び細線以外の属性などが挙げられる。本実施形態では、ステップＳ３１１で、文字属性の画像が多い領域・細線属性の画像が多い領域・それ以外の属性の画像が最も多い領域をそれぞれ抽出する。そして、ステップＳ３１２で、画像データレイアウト部１０３へ試し出力フラグ、画像解析フラグ、試し出力モード情報、属性カウント抽出結果を通知して、データ処理動作を終了する。
【００２４】
図３は、本実施形態に係る画像データの領域分割方法を示す概略図である。この図３を用いて画像属性のカウント方法を説明する。画像データ領域６０１の網点で示した部分は、記録が行われない白部分（非記録領域）である。画像データの属性カウントをするにあたっては、先ず、画像データ領域６０１を矩形に分割する。本実施形態では画像データ領域６０１を４×４の１６個に分割している。画像属性には、文字・細線・それ以外（写真）であることを示す属性データがあり、図２のステップＳ３０９では入力された画像データにそれらの属性データを入力する。矩形に分割された画像データ領域６０１の各矩形領域ごとに、文字属性、細線属性、それ以外属性の数をカウントする。図中において、文字属性の数が多い場合は「Ａ０」、細線属性が多い場合は「細線属性を示す図」、それ以外の属性が多い場合は「○」と示す。図３に示す画像データ領域６０１では、矩形６０３（Ｃ２）は文字属性、矩形６０４（Ｄ３）は細線属性、矩形６０２（Ｂ１）はその他属性が多くカウントされたことを示している。
【００２５】
図４は、画像データレイアウト部１０３のデータ処理動作のフローチャートである。以下、このフローチャートに沿って本実施形態の画像データレイアウト部１０３におけるデータ処理動作を説明する。画像データレイアウト部１０３では、所定のレイアウトの記録用データが生成される。データ処理動作が開始されると、ステップＳ４０１で、データ入力部１０５から試し出力フラグ、画像解析フラグ、試し出力モード、属性カウント抽出結果を受信する（入力する）。そして、ステップＳ４０２で、試し出力フラグが有効かどうかを判断し、有効ではない場合、すなわち、無効の場合は、ステップＳ４１２で、ホスト装置１０１から送られてきたオリジナルの画像データを記録用データとする。ステップＳ４０２で、試し出力フラグが有効の場合は、ステップＳ４０３で、画像解析フラグが有効かを判断する。
【００２６】
ステップＳ４０３において、画像解析フラグが有効の場合には、ステップＳ４０４へ進み、画像データバッファ１０４に格納されている画像データを紙幅の４分の１の矩形に縮小する。なお、本実施形態では、ステップＳ４０４において、画像データを紙幅の４分の１の矩形に縮小したが、これに限定されず、画像データ全体を縦横変倍して所定サイズの縮小画像を得るようにすればよい。次に、ステップＳ４０６において、ステップＳ４０４で作製した縮小画像と、ステップＳ３１１で抽出した各属性の数が一番多いエリアの画像を紙幅方向に並べた記録用データ（以下、印刷用データともいう）を生成する。本実施形態では、縮小画像と、３つの領域の画像（文字属性の数が一番多い領域の画像、細線属性の数が一番多い領域の画像、文字及び細線以外の属性の数が一番多い領域の画像）を紙幅方向に並べた記録用データを生成しＲＡＭ１１５へ格納する。ステップＳ４０６で生成された記録用データは、例えば、画像解析に用いる記録用データとすることができる。
【００２７】
ステップＳ４０３において、画像解析フラグが無効の場合は、ステップＳ４０７で試し出力モードが短冊モードかを判定する。ステップＳ４０７で試し出力モードが短冊モードの場合は、ステップＳ４０８で、後述する画像データを短冊状に分割する操作を行い、紙幅方向に並べた記録用データを生成しＲＡＭ１１５へ格納する。なお、ステップＳ４０８では、画像データの記録領域の幅と記録紙の幅とに基づいて、記録用データを生成する。具体的には、ＣＰＵ１０２により、記録媒体の幅（幅情報）を取得し、また、画像データの記録領域の幅を取得する。ステップＳ４０７で試し出力モードが短冊ではない場合は、ステップＳ４０９で試し出力モードが縮小モードかを判別する。縮小モードの場合は、ステップＳ４１０で、画像データを記録媒体の長手方向に画像を４分の１に縮小した記録用データを生成しＲＡＭ１１５へ格納する。なお、本実施形態では、ステップＳ４１０において、画像データを紙幅の４分の１の矩形に縮小したが、これに限定されず、画像データを少なくとも長手方向に縮小した記録用データを得るようにすればよい。ステップＳ４０９で、試し出力モードが縮小でない場合は、ステップＳ４１１で、画像データの一部を抽出した記録用データを生成しＲＡＭ１１５へ格納する。ステップＳ４０６、ステップＳ４０８、ステップＳ４１０、又はステップＳ４１１が終了すると、ステップＳ４１３で、記録用データ生成が完了したことをプリンタエンジンインターフェース１０４へ通知する。そして、プリンタエンジンインターフェース１０４は、プリンタエンジン１１８を操作し、記録媒体へ記録用データの記録動作を開始する。
【００２８】
上述したように、ステップＳ４０２において試し出力フラグが有効になっている場合は、試し出力用の記録用データ（印刷用データ）が生成され、試し出力フラグが有効になっていない場合、通常の記録用データ（印刷用データ）が生成される。
【００２９】
図５は、図４で生成する記録用データのレイアウトを説明する概略図である。図５（ａ）、（ｂ）は、入力した画像データの記録領域が異なる例を示している。ここでは、画像を短冊状に分割し、紙幅方向に並べた印刷用データの生成について説明する。
【００３０】
記録媒体の幅に対する入力した画像データの記録領域の記録幅に応じて、画像を分割する数を決定する。図５（ａ）では、入力した画像データの記録領域が記録領域５００であり、ロール紙の紙幅に対して記録領域５００の記録幅が１／２以下のため、記録領域５００を記録媒体の搬送方向において、記録領域５０１と記録領域５０２との２つに分割する。そして、記録領域５０２の画像データを記録領域５０１とロール紙の幅方向に隣接する領域である記録領域５０３に移動（記録領域５００とロール紙の幅方向に隣接して配列）した記録用データを生成する。プリンタエンジンインターフェース１０４は、記録領域５０１と記録領域５０３とに所定の画像をロール紙に記録後、ロール紙の記録領域５０２の領域には記録することなく記録動作を終了する。
【００３１】
図５（ｂ）では入力した画像データの記録領域が記録領域５１０であり、ロール紙の紙幅に対して記録領域５１０の記録幅が１／３以下のため、記録領域５１０を記録媒体の搬送方向において記録領域５１１と記録領域５１２及び記録領域５１３の３つに分割する。そして、記録領域５１２の領域の画像データを記録領域５１１とロール紙の幅方向に隣接した記録領域５１４に、記録領域５１３の画像データを記録領域５１４とロール紙の幅方向に隣接した記録領域５１５に移動した記録用データを生成する。プリンタエンジンインターフェース１０４は、記録領域５１１の画像と、記録領域５１４の画像と、記録領域５１５の画像とをロール紙に記録後、ロール紙の記録領域５１２と記録領域５１３には記録することなく記録動作を終了する。
【００３２】
このように短冊状に画像データを記録することにより、ロール紙などのように連続した記録媒体へ出力結果を確認するための試し出力を行う際に、記録する画像が記録媒体の幅よりも小さい場合に、記録媒体の無駄を抑制することができる。すなわち、画像データを通常の方法で記録した場合に余白となる部分に、画像を形成することにより、記録媒体の長さ方向の記録領域を減らすことができる。なお、ここでは、記録媒体の幅に対する入力した画像データの記録領域の記録幅が１／２以下の場合と１／３以下の場合について説明したが、これに限定されるものではない。
【００３３】
図６（ａ）から（ｄ）は、図４で生成する記録用データの記録結果を示す概略図である。図６（ａ）は、ステップＳ４１２で生成された記録用データの記録結果である。すなわち、ホスト装置１０１から入力された画像データである。図６(ｂ）は、ステップＳ４０６で生成した記録用データの記録結果である。図６（ｂ）では、４つのオブジェクトを記録媒体の幅方向に並べて記録している。並び順は特に限定されないが、本実施形態では、左から、ステップＳ４０４で画像データ全体を縦横変倍して所定サイズに縮小した縮小画像、文字や細線以外の領域の画像、文字領域の画像、細線領域の画像をそれぞれ等倍で記録する。なお、図６（ｂ）では、文字領域の画像及び文字領域及び細線領域以外の領域の画像が抽出されず、記録されていない状態を示している。このような記録用データの記録結果では、画像の種類を表す属性情報を取得（属性取得）して解析する際に好適である。例えば、縮小画像で色みの確認、文字領域の画像・細線領域の画像などで解像度や濃度の確認をすることができる。図６（ｃ）は、ステップＳ４１０で生成した、長手方向に縮小した記録用データの記録結果である。この記録用データの記録結果では、画像全体の色みの確認をすることができる。図６（ｄ）は、ステップＳ４１１で生成した画像データの一部を抽出した、具体的には、画像データの長手方向において一部のみが抽出された記録用データの記録結果である。この記録用データの記録結果は、画像データの最初に記録される部分を抽出して記録している。記録部は抽出した部分のみを記録し記録動作を終了する。この記録用データの記録結果では、画像データの色みの確認をすることができる。
【００３４】
本実施形態では、画像解析を行う際や試し出力を行う際に記録媒体の搬送方向における記録領域を削減することができる。試し出力を行う際には、試し出力を行う際の印刷用データとして、画像データを短冊状に分割して並べた印刷用データ、画像データを長手方向に縮小した印刷用データ、画像データの一部を抽出した印刷用データを選択することができる。いずれの場合であっても、記録領域の削減、すなわち、記録媒体の長手方向の使用量の削減を実現する。
【００３５】
記録媒体の長手方向に細長い画像データの場合は、図５に示すように、画像データを短冊状に分割して紙幅方向に並べた記録用データの記録結果により、記録媒体を大幅に削減することができる。また、全面が写真のような画像データの場合は、図６（ｃ）に示すように全体を縮小した記録用データの記録結果により、画像データ全体の色みの確認をすることができる。また、写真や文字、細線が使用されたポスターやＣＡＤの画像データの場合は、図６（ｂ）に示すように記録媒体の長手方向に縮小した記録用データの記録結果により、画像の色みやコピー時の下地処理の確認を行い、文字・細線の等倍記録部分で記録解像度やコピーのスキャン解像度の確認をすることができる。また、図６（ｃ）に示したように、部分的に等倍記録することにより、例えば、コピー時のスキャン解像度を高めてもスキャン時間と記録時間が大幅に削減することができる。
【００３６】
このように、連続したロール紙（記録媒体）への出力において、ロール紙の連続している方向における画像データの記録領域を削減することにより、消耗品の削減および記録時間を削減することが可能になる。これによりユーザが画像調整を行う試し出力時の消耗品の消費および試し出力時間を短縮することができる。
【００３７】
［その他の実施形態］
上記実施形態においては、画像データをＰＣから入力するものとしたが、これに限定されるものではなく、例えば、画像データをスキャナから入力してもよい。その際、属性情報は、像域分離処理にて作成することが可能である。
【００３８】
また、試し出力のモードなどの出力モード情報は、ホスト装置１０１から設定することができるものとしたが、これに限定されるものではなく、操作パネルから設定するようにしてもよい。
【００３９】
また、短冊出力の例は、ホスト装置１０１から送られてくるオリジナルデータ（画像データ）の幅を基準に分割方法を決定するものとしたが、これに限定されず、オリジナルデータ（画像データ）を記録媒体の幅の１／２や１／３に縮小した後にさらに分割するようにしてもよい。
【００４０】
なお、本実施形態では、画像形成装置としてインクジェットプリンタを例に挙げたが、これに限定されるものではなく、電子写真など他の記録方式の画像形成装置であってもよい。
【００４１】
上述した実施形態は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（ＣＰＵやＭＰＵ等）がプログラムを読み出して実行する処理である。また、プログラムは、１つのコンピュータで実行させても、複数のコンピュータを連動させて実行させるようにしてもよい。また、上記した処理の全てをソフトウェアで実現する必要はなく、一部又は全部をハードウェアによって実現するようにしてもよい。
【符号の説明】
【００４２】
１００  画像形成コントローラ
１０１  ホスト装置
１０３  画像データレイアウト部
１０４  プリンタエンジンインターフェース
１０９  システムバスブリッジ
１１７  ＲＯＭ
１１９  大判インクジェット記録装置
１２０  操作パネルコントローラ
５００  記録領域
【図１】
2015027028.tif 000003
【図２】
2015027028.tif 000004
【図３】
2015027028.tif 000005
【図４】
2015027028.tif 000006
【図５】
2015027028.tif 000007
【図６】
2015027028.tif 000008